(57)【要約】【課題】自車の走行する道路の混雑時における運転者の違和感や不快感を低減することができる車両の駆動力制御装置および駆動力制御方法を提供すること。【解決手段】減速検出手段であるアクセルセンサ１１により運転者の減速意志を検出した際に、自車と自車の前方に位置する前方車両との位置関係に応じて減速度制御部４６が自車の減速度を制御する車両の駆動力制御装置において、自車の走行する道路の混雑度を判断する混雑度判断手段である混雑度判断部４４を備え、混雑度判断部４４により混雑度が高いと判断した際に、減速度制御部４６は、自車の減速度の制御を開始し難くあるいは自車の減速度の変化が小さくなるように制御する。これにより、自車の走行する道路の混雑時における運転者の違和感や不快感を低減することができる。【選択図】        図１
2005301369.tif 000002
【特許請求の範囲】
【請求項１】
減速検出手段により運転者の減速意志を検出した際に、
自車と当該自車の前方に位置する前方車両との位置関係に応じて当該自車の減速度を制御する車両の駆動力制御装置において、
前記自車の走行する道路の混雑度を判断する混雑度判断手段を備え、
前記混雑度判断手段により前記混雑度が高いと判断した際に、前記自車の減速度の制御を開始し難くあるいは当該自車の減速度の変化が小さくなるように制御することを特徴とする車両の駆動力制御装置。
【請求項２】
前記自車の走行する道路の車線数を判断する車線数判断手段をさらに備え、
前記車線数判断手段において前記自車の走行する道路が複数車線である判断した際に、前記混雑度判断手段により前記混雑度を判定することを特徴とする請求項１に記載の車両の駆動力制御装置。
【請求項３】
前記自車の走行する道路情報を取得する道路情報取得手段をさらに備え、
前記混雑度判断手段は、前記道路情報取得手段により取得された前記道路情報から前記混雑度を判断することを特徴とする請求項１または２に記載の車両の駆動力制御装置。
【請求項４】
前記自車の周辺を走行する周辺車両を検出する周辺車両検出手段をさらに備え、
前記混雑度判断手段は、前記周辺車両検出手段により検出された前記周辺車両の台数に基づいて前記混雑度を判断することを特徴とする請求項１または２に記載の車両の駆動力制御装置。
【請求項５】
前記運転者の混雑意志を検出する混雑検出手段をさらに備え、
前記混雑度判断手段は、前記混雑検出手段により検出された前記運転者の混雑意志に基づいて前記混雑度が高いと判断することを特徴とする請求項１または２に記載の車両の駆動力制御装置。
【請求項６】
自車と当該自車の前方に位置する前方車両との位置関係に応じて当該自車の減速度を制御する車両の駆動力制御方法において、
前記運転者の減速意志を判断する手順と、
前記自車の走行する道路の混雑度を判断する手順と、
前記混雑度が高い際に、前記自車の減速度の制御を開始し難くあるいは当該自車の減速度の変化が小さくなるように制御する手順と、
を含むことを特徴とする車両の駆動力制御方法。
【発明の詳細な説明】
【技術分野】
【０００１】
この発明は、車両の駆動力制御装置および駆動力制御方法に関し、更に詳しくは、運転者の減速意志を検出した際に、自車の減速度を制御する車両の駆動力制御装置および駆動力制御方法に関する。
【背景技術】
【０００２】
従来、自車とこの自車の前方に位置する前方車両との位置関係に応じて、自車の加減速度あるいは減速度を制御する車両の駆動力制御装置が提案されている。自車の加減速度を制御する車両の駆動力制御装置は、運転者の減速意志を必要とせずに、自車と前方車両との位置関係に応じて自車の加減速度を制御するものであり、例えば特許文献１に示すものがある。特許文献１に示す従来の車両の駆動力制御装置は、車両に備えられたオートクルーズ装置であり、自車と前方車両との車間距離（追従車間距離）が目標車間距離（基準追従車間距離）を維持するように車両の加減速度を制御するものである。この従来の車両の駆動力制御装置では、目標車間距離を「遠」、「中」、「近」に設定可能とし、自車の走行する道路の混雑度（混雑状況）により、上記目標車間距離のいずれかを選択し、運転者（ドライバー）の違和感や不快感を低減するものである。
【０００３】
つまり、従来の自車の加減速度を制御する車両の駆動力制御装置は、自車の走行する道路の混雑度により、上記目標車間距離を変更する、すなわち、混雑度が高い時に、目標車間距離が小さくなるように制御するものである。自車の走行している道路が混雑している場合は、車間距離を混雑していない場合と比較して小さくし、自車の走行している車線以外（合流車線も含む）からこの自車と前方車両との間に、他車が割り込むことを抑制することができ、車両の駆動力制御装置の制御による自車と前方車両との頻繁な車間距離調整が低減され、運転者の違和感や不快感を低減するものである。
【０００４】
一方、従来の自車の減速度を制御する車両の駆動力制御装置は、一般に運転者の減速意志により発生する減速度を制御するものである。これは、例えば車両が道路を走行中に運転者がアクセルペダルから足を離す（アクセルＯＦＦ）ことで発生するエンジンブレーキにより減速度を制御するものである。ここで、従来の一般的な車両の駆動力制御装置は、車両が道路を走行する場合、内燃機関であるエンジンに連結された自動変速機をアップシフトし、この車両が一定車速以上で定常走行状態となると自動変速機の変速段を最終的に最も高速側の変速段となるように制御する。しかし、最も高速側の変速段におけるエンジンブレーキは非常に小さく、運転者の減速意志により発生する減速度は小さいものとなる。従って、自車と前方車両との相対車速が大きく、つまり自車の車速が前方車両の車速よりも大きくなることで、自車と前方車両との位置関係である車間距離が縮まった際に、運転者の減速意志により自車の減速が開始されても、運転者の減速意志により発生する減速度が小さいため、自車と前方車両との相対車速がすぐには小さくならない場合がある。つまり、運転者がアクセルペダルから足を離しても、自車と前方車両との車間距離が一定となり離れるまでに長時間が必要な場合がある。この場合、運転者は、所望する減速度、つまり所望する車間距離を得るために、アクセルペダルから足を離してエンジンブレーキを行う以外にブレーキペダルを踏むことでブレーキを行う必要があった。
【０００５】
そこで、上記従来の車両の駆動力制御装置では、運転者の減速意志があった場合に、内燃機関であるエンジンに連結された自動変速機をダウンシフトし、運転者がアクセルペダルから足を離すことで発生するエンジンブレーキによる減速度が大きくなるように制御する。これにより、運転者の減速意志により発生する減速度をこの運転者が所望する減速度にすることができるので、運転者の違和感や不快感を低減することができるものである。
【０００６】
【特許文献１】特開２００２−１２０５９４号公報
【発明の開示】
【発明が解決しようとする課題】
【０００７】
ここで、車両が一定速度以上で定常走行を行う場合、例えば高速道路などの道路で走行する場合において、運転者は、自車の前方に位置する前方車両との車間距離を一定に維持するように、アクセルペダル（必要に応じてブレーキペダル）を操作する。この運転者が一定に維持する車間距離は、自車の走行している道路の混雑状況によって変化する。例えば、運転者は、自車の走行している道路が混雑している場合は、混雑していない場合と比較して、車間距離を短く、つまり自車を前方車両に近づけた状態で走行しようとする。これは、様々な原因が考えられるが一般的には、自車の走行している道路が混雑している際に、この自車の走行している車線以外の車線（合流車線も含まれる）を走行している車両が自車と前方車両との間に割り込むことを運転者が意識的に防止しようとするためであると考えられている。
【０００８】
しかしながら、従来の自車の減速度を制御する車両の駆動力制御装置では、運転者の減速意志により発生するエンジンブレーキによる減速度が大きくなるように制御するものであるため、混雑している道路を自車の走行している場合に、運転者の減速意志により発生する減速度は運転者が混雑時に所望する減速度より大きくなる虞がある。つまり、自車と前方車両との車間距離が縮まった際に、運転者がアクセルペダルから足を離すと、この車間距離は短期間で一定となり離れ始める。従って、運転者は、混雑している道路を走行している自車を前方車両に近づけた状態とするために、アクセルペダルの踏み込みによる車両の加速とアクセルペダルを足から離すことによる車両の減速という操作を頻繁に繰り返す必要がある。従って、上記従来の自車の減速度を制御する車両の駆動力制御装置では、混雑時における運転者の違和感や不快感を低減することができないという虞があった。
【０００９】
本発明は、上記に鑑みてなされたものであって、自車の走行する道路の混雑時における運転者の違和感や不快感を低減することができる車両の駆動力制御装置および駆動力制御方法を提供することを目的とする。
【課題を解決するための手段】
【００１０】
上述した課題を解決し、目的を達成するために、この発明では、減速検出手段により運転者の減速意志を検出した際に、自車と自車の前方に位置する前方車両との位置関係に応じて自車の減速度を制御する車両の駆動力制御装置において、自車の走行する道路の混雑度を判定する混雑度判断手段を備え、混雑度判断手段により混雑度が高いと判断した際に、自車の減速度の制御を開始し難くあるいは自車の減速度の変化が小さくなるように制御することを特徴とする。
【００１１】
また、この発明では、自車と自車の前方に位置する前方車両との位置関係に応じて自車の減速度を制御する車両の駆動力制御方法において、車両の駆動力制御装置運転者の減速意志を判定する手順と、自車の走行する道路の混雑度を判定する手順と、混雑度が高い際に、自車の減速度の制御を開始し難くあるいは自車の減速度の変化が小さくなるように制御する手順とを含むことを特徴とする。
【００１２】
これら発明によれば、自車の走行する道路の混雑度が高いと判断した際に、自車の減速度の制御を開始し難く、例えば運転者の減速意志により発生する減速度が大きくなる制御の開始条件を厳しくする。従って、自車と前方車両との車間距離が縮まった際に、運転者の減速意志、例えば運転者がアクセルペダルから足を離した際に発生するエンジンブレーキによる減速度は小さくなり、車間距離は徐々に一定となり離れることとなる。これにより、運転者は、混雑している道路を走行している自車を前方車両に近づけた状態とするために、アクセルペダルの踏み込みによる車両の加速とアクセルペダルを足から離すことによる車両の減速という操作を繰り返す頻度が減少する。
【００１３】
また、この発明では、上記車両の駆動力制御装置において、自車の走行する道路の車線数を判断する車線数判断手段をさらに備え、車線数判断手段において自車の走行する道路が複数車線である判断した際に、混雑度判断手段により混雑度を判定することを特徴とする。
【００１４】
この発明によれば、自車の走行している道路が複数車線（合流車線も含む）により構成されており、かつ混雑度が高いと判断した際に、自車の減速度の制御を開始し難くあるいは自車の減速度の変化が小さくなるように制御する。つまり、自車と前方車両との間にこの自車の走行している車線以外の他の車線に位置する車両が割り込む虞がある場合に、運転者の減速意志により発生する減速度を小さくし、この自車と前方車両との車間距離が近づいた状態を長時間維持できるようにする。従って、混雑している道路を走行している自車と前方車両との間にこの自車の走行している車線以外の他の車線に位置する車両が割り込む虞を低減することができる。これにより、他の車線に位置する車両による予期せぬ割り込みを低減することができるので、運転者に安心感を与えることができる。
【００１５】
また、この発明では、上記車両の駆動力制御装置において、自車の走行している道路情報を取得する道路情報取得手段をさらに備え、混雑度判断手段は、道路情報取得手段により取得された道路情報から混雑度を判断することを特徴とする。
【００１６】
この発明によれば、道路を走行している自車の現在位置における混雑度のみならず、今後自車が通過する位置における混雑度をも判断することができる。これにより、運転者の減速意志により発生する減速度の変化が頻繁に起こらず、運転者の違和感や不快感を低減することができる。
【００１７】
また、この発明では、上記車両の駆動力制御装置において、自車の周辺を走行する周辺車両を検出する周辺車両検出手段をさらに備え、混雑度判断手段は、周辺車両検出手段により検出された周辺車両の台数に基づいて混雑度を判断することを特徴とする。
【００１８】
この発明によれば、道路を走行している自車の実際の現在位置における混雑度を自車の周辺車両の台数に基づいて判断することができる。これにより、運転者の減速意志により発生する減速度の変化が自車の現在位置における混雑度に基づいて起こるため、運転者の違和感や不快感を低減することができる。
【００１９】
また、この発明では、上記車両の駆動力制御装置において、運転者の混雑意志を検出する混雑検出手段をさらに備え、混雑度判断手段は、混雑検出手段により検出された運転者の混雑意志に基づいて混雑度が高いと判断することを特徴とする。
【００２０】
この発明によれば、道路を走行している自車の実際の現在位置における混雑度を運転者の経験に基づいて判断することができる。これにより、運転者の意志によりこの運転者の減速意志により発生する減速度の変化が起こるため、運転者の違和感や不快感を低減することができる。
【発明の効果】
【００２１】
この発明にかかる車両の駆動力制御装置および駆動力制御方法は、自車の走行する道路の混雑度が高いと判断した際に、自車の減速度の制御を開始し難くなるように制御することで、運転者の減速意志により発生する減速度を小さくし、アクセルペダルの踏み込みによる車両の加速とアクセルペダルを足から離すことによる車両の減速という操作を繰り返す頻度が減少し、自車の走行する道路の混雑時における運転者の違和感や不快感を低減することができる。
【発明を実施するための最良の形態】
【００２２】
以下、この発明につき図面を参照しつつ詳細に説明する。なお、下記の実施例によりこの発明が限定されるものではない。また、下記の実施例における構成要素には、当業者が容易に想定できるもの或いは実質的に同一のものが含まれる。また、下記に実施例では、自車の減速度を得るために、車両自動ブレーキ装置１４を用いる場合について説明するが、無段変速機、自動変速モード付きの手動変速機、各種ブレーキ装置（電気自動車やハイブリッド車における回生ブレーキ装置、ディーゼル車の排気ブレーキ装置）などを用いても良い。さらに、自動変速機２と各種ブレーキ装置との両方を協調制御することで自車の減速度を得ても良い。
【実施例】
【００２３】
図１は、この発明にかかる車両の駆動力制御装置の構成例を示す図である。同図に示すように、この発明にかかる車両の駆動力制御装置１は、自動変速機２と、自車とこの自車の前方に位置する前方車両との位置関係を検出する前方車両検出装置３と、処理部４２に混雑度判断手段である混雑度判断部４４と車線数判断手段である車線数判断部４５と自車の減速度を制御する減速度制御手段である減速度制御部４６とを有するＥＣＵ（Engine Control Unit）４と、自車の走行している道路の車線数を取得する車線数取得手段および自車の走行している道路情報を取得する道路情報取得手段であるナビゲーションシステム５と、自車の制動力（自動変速機２によるエンジンブレーキによる制動力を除く）を後述するＥＣＵ４により制御できる車両自動ブレーキ装置１４とにより構成されている。なお、６は、内燃機関であるエンジンである。７は、エンジン６の図示しないクランクシャフトで発生する駆動力を自動変速機２に伝達するトルクコンバータである。また、８は、自動変速機２の変速段を切り替える油圧供給装置である。また、９は、エンジン６に吸気する空気を車両外部から導入する吸気系統である。また、１０は、エンジンから排気される排気ガスを車両外部に排気する排気系統である。
【００２４】
自動変速機２は、有段変速機であり、エンジン６にトルクコンバータ７を介して連結されている。エンジン６の図示しないクランクシャフトで発生する駆動力は、トルクコンバータ７を介して自動変速機２に伝達され、この自動変速機２から図示しないデファレンシャルギヤおよびドライブシャフトを介して駆動輪に伝達される。また、自動変速機２は、変速段により変速比が異なり、自車の運転状況により後述するＥＣＵ４から出力される変速信号に基づいて油圧供給装置８を介して変速段が制御されるものである。ここで、油圧供給装置８は、上記ＥＣＵ４から出力された変速信号に基づいて自動変速機２にこの自動変速機２の変速段を変更するための油圧を供給するものである。
【００２５】
前方車両検出装置３は、レーザレーダ装置であり、自車の前部に取り付けられている。図２−１は、前方車両検出装置の構成例を示す図である。図２−２は、自車と前方車両との関係を示す図である。前方検出装置３は、送光部３１、送光走査部３２、受光部３３、受光走査部３４、距離計測部３５とにより構成されている。送光部３１には、レーザを出力するレーザダイオードとこのレーザダイオードを駆動する駆動回路とにより構成されている。送光走査部３２は、送光部３１のレーザダイオードが出力したレーザを反射させる反射ミラーとこの反射ミラーを上下に揺動させるモータなどから構成される反射ミラー駆動部とにより構成されている。受光部３３は、受光レンズとこの受光レンズで収束した反射波を電気信号に変換するフォトダイオードなどにより構成されている。受光走査部３４は、図２−２に示すように、上記送光走査部３２を介して送光部３１から自車１００の前方に出力されたレーザが自車１００の前方に位置する前方車両２００に反射した反射波を反射させて上記受光レンズに導く受光ミラーとこの受光ミラーを左右に揺動させるモータなどから構成される受光ミラー駆動部とにより構成されている。距離計測部３５は、上記送光部３１の駆動回路、送光走査部３２の反射ミラー駆動部、受光走査部３４の受光ミラー駆動部を制御し、かつレーザの送光から反射波が受光されるまでの時間から自車１００と前方車両との位置関係である車間距離や相対車速を算出するものである。
【００２６】
具体的には、送光部３１から出力されたレーザＬは、送光走査部３２を介して、自車１００の前方に出力される。この出力されたレーザＬの有効領域（反射波が受光走査部３４を介して受光部３３が検出される領域）内に前方車両２００が位置すると、レーザＬは前方車両２００のリフレクターなどにより反射され反射波となり、自車１００に戻ってくる。受光部３３には、受光走査部３４を介してこの自車１００に戻ってきた反射波が入力される。距離計測部３５は、送光部３１によるレーザＬの送光から受光部３３による反射波の受光までの時間を計測し、この時間から自車１００が走行している道路Ｒの同一車線の前方に車両（前方車両２００）がいることを検出するするとともに、自車１００と前方車両２００との車間距離を算出する。また、レーザＬは、所定周期で送光部３１から出力されるため距離計測部３５は、所定時間における自車１００と前方車両２００との車間距離の変化量を算出することができる。この所定時間と車間距離の変化量とから自車１００と前方車両との相対車速を算出する。なお、距離計測部３５で算出された車間距離と相対車速は、図１に示すように後述するＥＣＵ４に出力される。
【００２７】
ＥＣＵ４は、後述するナビゲーションシステム５から入力される道路情報に基づいて、自車の走行する道路の混雑度を判断する混雑度判断手段である。また、上記ナビゲーションシステム５から入力される車線数情報に基づいて、自車の走行する道路の車線数を判断する車線数判断手段でもある。さらに、車両自動ブレーキ装置１４による自車１００の制動力を制御することで、自車の減速度を制御する減速度制御手段でもある。
【００２８】
また、ＥＣＵ４は、エンジン６が搭載された車両の各所に取り付けられたセンサから、各種入力信号が入力される。具体的には、例えばエンジン６の図示しないクランクシャフトに取り付けられた角度センサにより検出されたエンジン回転数、吸気系統９に取り付けられたエアフロメータ９２により検出されたエアフィルタ９１を介して吸気される吸入空気量、減速検出手段であるアクセルセンサ１１により検出された運転者が操作するアクセルペダルの操作量（アクセル開度）、車速センサ１２により検出された自車の車速、シフトセンサ１３により検出された運転者が操作するシフトレバーのシフトポジション、上記前方車両検出装置３から出力された車間距離、相対車速、後述するナビゲーションシステム５から出力された車線数情報、道路情報などがある。これら入力信号および後述する記憶部４３に記憶されている噴射制御マップや変速マップなどの各種マップに基づいて、エンジン６の図示しないインジェクタの噴射タイミングや噴射量を制御する噴射信号、エンジン６の図示しない点火プラグの点火タイミングを制御する点火信号、吸気系統９のスロットルバルブ９３のバルブ開度を制御するバルブ開度信号などのエンジン６の出力制御を行う信号、自動変速機２の変速段の変更する変速制御を行う変速信号などの出力信号、車両自動ブレーキ装置１４による自車１００の制動力制御を行うブレーキ信号を出力する。なお、ＥＣＵ４は、自動変速機２の変速制御に伴って、エンジン回転数を適切に変化させるために、上記エンジン６の出力制御を行っても良い。
【００２９】
具体的には、上記入力信号や出力信号の入出力を行う入出力ポート（Ｉ／Ｏ）４１と、混雑度判断部４４、車線数判断部４５、減速度制御部４６を有する処理部４２と、上記噴射制御マップや変速マップなどの各種マップなどを格納する記憶部４３とにより構成されている。処理部４２は、メモリおよびＣＰＵ（Central Processing Unit）により構成され、車両の駆動力制御方法などに基づくプログラムをメモリにロードして実行することにより、車両の駆動力制御方法などを実現させるものであっても良い。また、記憶部４３は、フラッシュメモリ等の不揮発性のメモリ、ＲＯＭ（Read Only Memory）のような読み出しのみが可能な揮発性のメモリあるいはＲＡＭ（Random Access Memory）のような読み書きが可能な揮発性のメモリ、あるいはこれらの組み合わせにより構成することができる。なお、この実施例では、車両の駆動力制御方法をＥＣＵ４により実現させるが、これに限定されるものではなく、このＥＣＵ４とは個別に形成された制御装置により実現しても良い。
【００３０】
ナビゲーションシステム５は、上記ＥＣＵ４の入出力ポート４１に接続され、このＥＣＵ４に車線数情報、道路情報の出力を行う入出力ポート（Ｉ／Ｏ）５１と、ＧＰＳ（Global Positioning System）を構成する衛星からの位置情報や道路交通情報通信システムを構成するＦＭ多重放送、光ビーコン、電波ビーコンなどからの交通情報（渋滞情報）を受信するアンテナ部５２と、自車１００の現在位置、自車１００の走行する道路の道路情報などの算出や、自車１００の現在位置から目標位置までの経路の検索などを行う処理部５３と、運転者が操作することで、入出力ポート５１を介して処理部５３に各種の指示データを入力する操作部５４と、地図データ５５ａなどを格納する記憶部５５と、入出力ポート５１を介して各種案内音声を出力するスピーカ５６と、入出力ポート５１を介して自車１００の現在位置や自車１００の走行する道路や、自車１００の走行する道路の道路情報を表示する表示部５７とにより構成されている。なお、処理部５３および記憶部５５の構成は、上記ＥＣＵ４とほぼ同様の構成であるのでその説明は省略する。また、地図データ５５ａは、記憶部５５に格納されるほか、ＣＤ−ＲＯＭやＤＶＤなどの記録媒体に記録され、適宜入出力ポート５１を介して処理部５３に読み込まれても良い。また、処理部５３による自車の現在位置の算出は、アンテナ部５２が受信する位置情報のみに基づいて行う場合に限られず、この位置情報と車速センサ１２により検出される車速とナビゲーションシステム５に搭載されているジャイロスコープとに基づいて行っても良い。
【００３１】
このナビゲーションシステム５は、基本的に自車１００が現在位置から目的位置、つまり現在地から住所、電話番号、施設名などに基づいた目的地までナビゲーション走行を行う際に用いられるものである。具体的には、運転者は、操作部５４を操作し目的地を入力する。この入力された目的地に基づく指示データは、処理部５３に入力される。次に、処理部５３は、アンテナ部５２が受信した位置情報から自車１００の現在位置を算出するとともに、記憶部５５に格納されている地図データ５５ａを読み出す。次に、処理部５３は、この自車１００の現在位置と地図データ５５ａから目的位置までの最適経路を検索する。ここで、処理部５３は、アンテナ部５２が受信した交通情報、つまり自車１００の走行している道路やその周辺道路の混雑状況を加味して最適経路を検索することもできる。そして、処理部５３は、入出力ポート５１を介して自車１００の現在位置データや検索された経路に基づく自車１００の走行する道路データや、自車１００の走行する道路の道路情報を表示部５７に出力する。この表示部５７は、自車１００の現在位置データや検索された経路に基づく自車１００の走行する道路データや、自車１００の走行する道路の道路情報を表示する。また、処理部５３は、検索された経路に基づいて適宜スピーカ５６から案内音声を出力する。
【００３２】
このナビゲーションシステム５は、アンテナ部５２が受信する位置情報に基づいて算出された自車１００の現在位置と、アンテナ部５２が受信する交通情報と、記憶部５５に格納されている地図データ５５ａとに基づいて自車１００の走行する道路の道路情報を取得することができる。また、位置情報に基づいて算出された自車１００の現在位置と、記憶部５５に格納されている地図データ５５ａとに基づいて自車１００の走行している道路の車線数を取得することができる。従って、ナビゲーションシステム５は、道路情報取得手段および車線数取得手段としての機能を有するものである。
【００３３】
次に、この発明にかかる車両の駆動力制御装置１を用いた車両の駆動力制御方法について説明する。図３は、この発明にかかる車両の駆動力制御装置の動作フローである。まず、ＥＣＵ４の処理部４２は、減速検出手段であるアクセルペダルに取り付けられたアクセルセンサ１１により検出された操作量に基づいて運転者の減速意志がある否かを判断する（ステップＳＴ１）。具体的には、運転者がアクセルペダルから足を離す、つまりアクセルセンサ１１により検出される操作量が０あるいはほぼ０となった場合に、処理部４２は運転者の減速意志があると判断する。これは、自車１００と前方車両２００との相対車速が大きい場合には、自車１００と前方車両２００との車間距離が縮まり、運転者はこの車間距離を一定に保とうとするためにアクセルペダルから足を離しエンジンブレーキによる自車１００の減速を行うからである。
【００３４】
次に、処理部４２は、運転者の減速意志があると判断すると、フラグをチェックする（ステップＳＴ２）。車両の駆動力制御方法の開始直後は、Ｆ＝０である。次に、処理部４２の車線数判断部４５は、車線数情報を取得する（ステップＳＴ３）。まず、ナビゲーションシステム５の処理部５３は、アンテナ部５２で受信した位置情報に基づいて算出した自車１００の現在位置と記憶部５５に格納されている地図データ５５ａに基づいて自車１００の走行している道路の車線数を算出する。次に、処理部５３は、入出力ポート５１を介してＥＣＵ４にこの算出した車線数情報を出力する。そして、処理部４２の車線数判断部４５は、ナビゲーションシステム５から出力された車線数情報を取得する。
【００３５】
次に、処理部４２の車線数判断部４５は、自車１００の走行している道路が複数車線であるか否かを判断する（ステップＳＴ４）。つまり、自車１００の走行している車線以外の車線、例えば自車１００が高速道路の走行車線を走行している場合では、自車１００の走行している走行車線以外に他の走行車線、追越車線、合流車線などがあるか否かを判断する。これは、自車１００と前方車両２００との間にこの自車１００の走行している車線以外の他の車線に位置する車両が割り込む虞がある場合に、後述する運転者の減速意志により発生する減速度を小さくし、この自車１００と前方車両２００との車間距離が近づいた状態を長時間維持できるようにするためである。これにより、混雑している道路を走行している自車１００と前方車両２００との間にこの自車１００の走行している車線以外の他の車線に位置する車両が割り込む虞を低減することができ、他の車線に位置する車両による予期せぬ割り込みを低減することができるので、運転者に安心感を与えることができる。
【００３６】
次に、処理部４２の車線数判断部４５が自車１００の走行している道路が複数車線であると判断すると、処理部４２の混雑度判断部４４は、道路情報を取得する（ステップＳＴ５）。まず、ナビゲーションシステム５の処理部５３は、アンテナ部５２で受信した位置情報に基づいて算出した自車１００の現在位置と、アンテナ部５２が受信する交通情報と記憶部５５に格納されている地図データ５５ａとに基づいて自車１００の走行している道路の道路情報を算出する。次に、処理部５３は、入出力ポート５１を介してＥＣＵ４に算出した道路情報を出力する。そして、処理部４２の混雑度判断部４４は、ナビゲーションシステム５から出力された道路情報を取得する。
【００３７】
次に、処理部４２の混雑度判断部４４は、自車１００の走行している道路の混雑度が所定混雑度以上であるか否かを判断する（ステップＳＴ６）。ここで、道路交通情報通信システムを構成するＦＭ多重放送、光ビーコン、電波ビーコンなどからナビゲーションシステム５のアンテナ部５２が受信する交通情報（渋滞情報）は、例えば道路の混雑度を「通常」、「混雑」、「渋滞」の三段階に分けた情報である。つまり、処理部４２の混雑度判断部４４に入力される自車１００が走行している道路の道路情報も同様に三段階に分けられた情報となる。従って、処理部４２の混雑度判断部４４では、所定混雑度を例えば上記三段階の混雑度における「渋滞」とし、自車１００が走行している道路の道路情報が「渋滞」であるか否かを判断する。このナビゲーションシステム５のアンテナ部５２が受信する交通情報（渋滞情報）には、自車１００が走行する道路におけるこの自車１００の現在位置の混雑度をのみならず、今後自車が通過する位置における混雑度も含まれる。つまり、処理部４２の混雑度判断部４４は、自車１００の現在位置における混雑度のみならず、今後自車１００が通過する位置における混雑度をも判断することができる。これにより、後述する運転者の減速意志により発生する減速度の変化が頻繁に起こらず、運転者の違和感や不快感を低減することができる。なお、所定混雑度を上記「渋滞」ではなく、「混雑」としても良い。
【００３８】
次に、処理部４２の混雑度判断部４４が自車１００の走行している道路の混雑度が所定混雑度以上であると判断すると、処理部４２は、減速度を制御する開始条件を変更する（ステップＳＴ７）。後述する処理部４２の減速制御部４６による運転者の減速意志により発生する減速度の制御は、自車１００の減速度が大きくなるように制御するものであり、この減速度の制御には開始条件が設定されている。この開始条件には種々のものがあるが、この実施例では開始条件を車間時間としている。車間時間は自車１００の車速と相対車速に基づくマップで規定されており、この車間時間が所定車間時間以下となったら制御を開始する場合について説明する。車間時間とは、車間距離／自車１００の車速であり、自車１００と前方車両２００との車間距離を自車１００が走行するのに何秒必要であるかを示すものである。この車間時間が短くなると前方車両２００の車速が０の場合に自車が衝突するまでの時間が短くなるということとなる。処理部４２の減速制御部４６による運転者の減速意志により発生する減速度の制御の開始条件を車間時間がある自車の速度および相対車速において、例えば所定車間時間１．０秒以下と設定している場合に、処理部４２は、この処理部４２の混雑度判断部４４が自車１００の走行している道路の混雑度が所定混雑度以上であると判断すると、設定されていた所定車間時間を例えば０．７秒に変更して設定する。つまり、運転者の減速意志により発生する減速度が大きくなる制御の開始条件を厳しくし、すなわち処理部４２の減速制御部４６による自車の減速度の制御を開始し難くする。
【００３９】
次に、処理部４２の減速度制御部４６は、自車１００の減速度の制御が必要であるか否か、つまり上記変更された減速度の制御開始条件を満たしている否かの判断をする（ステップＳＴ８）。具体的には、まず、処理部４２の減速度制御部４６は、ＥＣＵ４の入出力ポート４１を介して入力された前方車両検出装置３により検出された前方車両２００との車間距離と車速センサ１２により検出された自車１００の車速に基づいて車間時間を算出する。そして、減速度制御部４６は、算出した車間時間が上記ステップＳＴ７で変更された所定車間時間以上であるかを判断する。
【００４０】
なお、上記ステップＳＴ４において処理部４２の車線数判断部４５が自車１００の走行している道路が複数車線でない、あるいは上記ステップＳＴ６において処理部４２の混雑度判断部４４が自車１００の走行している道路の混雑度が所定混雑度未満であると判断した場合は、上記ステップＳＴ７の減速度を制御する開始条件を変更せずに、処理部４２の減速度制御部４６は、減速度の制御が必要であるか否かを判断する（ステップＳＴ８）。つまり、自車１００が走行する道路が一車線である場合や自車１００が走行する道路が複数車線であっても混雑度が低い、つまり空いている場合は、運転者の減速意志により発生する減速度が大きくなる制御の開始条件を変更せずに自車の減速度を制御する。これは、混雑しているが自車１００が走行している車線以外の車線がない場合や自車１００が空いている道路を走行している場合は、他の車線から自車１００と前方車両２００との間に他の車両が割り込むことがないので、運転者は自車１００と前方車両２００との位置関係である車間距離を縮める必要がないからである。
【００４１】
次に、処理部４２の減速度制御部４６は、自車１００の減速度の制御が必要であると判断すると、必要減速度を算出し、初期目標減速度を設定する（ステップＳＴ９）。必要減速度は、ＥＣＵ４の入出力ポート４１を介して入力された前方車両検出装置３により検出された前方車両２００の相対車速および上記ステップＳＴ８で算出された車間時間に基づいて、記憶部４３に格納されている相対車速と車間時間とに基づくマップにより算出される。また、初期目標減速度は、上記算出された必要減速度に基づいて決定される。なお、処理部４２の減速度制御部４６は、減速度の制御が必要でないと判断すると、減速度の制御が必要となるまで、ステップＳＴ１〜ステップＳＴ８を繰り返す。
【００４２】
次に、処理部４２の減速度制御部４６は、上記算出された初期目標減速度に基づいて、車両自動ブレーキ装置１４による自車１００の制動力を算出する。自車１００の減速度の制御を開始する（ステップＳＴ１０）。具体的には、まず、減速度制御部４６は、初期目標減速度に基づいて車両自動ブレーキ装置１４による自車１００の制動力を算出する。従って、必要減速度が自動変速機２のある変速段において発生するエンジンブレーキによる減速度以上である場合は、車両自動ブレーキ装置１４による自車１００の制動力が減速度として付加される。つまり、減速度制御部４６は、運転者の減速意志により発生する減速度が大きくなるように、車両自動ブレーキ装置１４を制御する。しかし、この発明では、上記ステップＳＴ７において、自車１００の減速度の制御を開始し難くするようにするので、自車１００の減速度が大きくなることを抑制することができる。
【００４３】
次に、処理部４２の減速度制御部４６は、自車１００の実際の減速度である実減速度が必要減速度以上であるか否かを判断する（ステップＳＴ１１）。具体的には、処理部４２の減速度制御部４６は、車速センサ１２により検出される自車１００の車速の単位時間当たりにおける減少に基づいて実減速度を算出し、この算出された実減速度が上記ステップＳＴ９におい算出した必要減速度以上であるか否かを判断する。
【００４４】
次に、処理部４２の減速度制御部４６は、実減速度が必要減速度以上である場合は、必要減速度を再度算出し、目標減速度を再度設定する（ステップＳＴ１２）。なお、減速度制御部４６は、この再度算出された必要減速度および再度設定された目標減速度に基づいて、自車の減速度を制御する。また、減速度制御部４６は、実減速度が必要減速度未満であると判断すると、フラグをチェック、つまりＦ＝１とする（ステップＳＴ１８）。そして、実減速度が必要減速度以上となるまで、ステップＳＴ１、ステップＳＴ２，ステップＳＴ１１を繰り返す。
【００４５】
次に、処理部４２の減速度制御部４６は、必要減速度が所定減速度以下であるか否かを判断する（ステップＳＴ１４）。ここで、所定減速度とは、自車１００の減速度を車両自動ブレーキ装置１４による制御を行う必要がない減速度をいう。
【００４６】
次に、処理部４２の減速度制御部４６は、必要減速度が所定減速度以下である場合は、自車の減速度の制御を終了（ステップＳＴ１４）し、フラグをクリア、つまりＦ＝０とする（ステップＳＴ１５）。なお、減速度制御部４６は、必要減速度が所定減速度を超えていると判断すると、フラグをチェック、つまりＦ＝２とする（ステップＳＴ１９）。そして、必要減速度が所定減速度以下となるまで、ステップＳＴ１、ステップＳＴ２，ステップＳＴ１２、ステップＳＴ１３を繰り返す。
【００４７】
なお、処理部４２は、運転者の減速意志がないと判断すると、つまり運転者がアクセルペダルを踏み込みアクセルセンサ１１が一定の操作量（アクセルペダルの操作）を検出すると、減速度制御部４６により自車１００の減速度の制御が開始されている場合は、減速度の制御を終了（ステップＳＴ１６）し、フラグをクリア、つまりＦ＝０とする（ステップＳＴ１７）。
【００４８】
以上のように、この発明にかかる車両の駆動力制御装置および駆動力制御方法では、自車の減速度の制御を開始し難くすることで、自車１００と前方車両２００との車間距離が縮まった際に、運転者の減速意志、例えば運転者がアクセルペダルから足を離した際に発生するエンジンブレーキによる減速度は小さくなり、車間距離は徐々に一定となり離れることとなる。これにより、運転者は、混雑している道路を走行している自車１００を前方車両２００に近づけた状態とするために、アクセルペダルの踏み込みによる車両の加速とアクセルペダルを足から離すことによる車両の減速という操作を繰り返す頻度が減少し、自車の走行する道路の混雑時における運転者の違和感や不快感を低減することができる。
【００４９】
なお、上記実施例では、運転者が自車の走行する道路が混雑していると判断した際に、処理部４２の減速度制御部４６による自車の減速度の制御において、減速度の制御の開始条件を変更（ステップＳＴ７）したが、この発明はこれに限定されるものではない。上記減速度の制御の開始条件を変更せずに、処理部４２の減速度制御部４６が算出する必要減速度に必要な記憶部４３に格納されている相対車速と車間時間とに基づくマップを変更しても良い。つまり、このマップに基づいて減速度制御部４６により算出される必要減速度がマップを変更しない際に算出される必要減速度よりも小さくなるようにマップを変更する。これにより、自車１００と前方車両２００との車間距離が縮まった際に、運転者の減速意志による減速度は小さくなり、車間距離は徐々に一定となり離れることができる。
【００５０】
なお、上記実施例では、ＥＣＵ４の処理部４２の混雑度判断部４４は、カーナビゲーション５から入力された道路情報を取得して、この道路情報により自車が走行している道路の混雑度を判断するが、この発明はこれに限定されるものではない。例えば、自車１００の車線以外の車線を走行する車両、つまり自車１００の周辺を走行する周辺車両を検出する周辺車両検出手段である自車１００の前部に取り付けられた前方検出装置と同様なレーザレーダ装置を自車複数個取り付ける。そして、処理部４２の混雑度判断部４４は、この周辺車両検出手段により検出された周辺車両の台数に基づいて混雑度を判断しても良い。この場合は、道路を走行している自車の実際の現在位置における混雑度を自車１００の周辺車両の台数に基づいて判断することができる。これにより、運転者の減速意志により発生する減速度の変化が自車１００の現在位置における混雑度に基づいて起こるため、運転者の違和感や不快感を低減することができる。
【００５１】
また、例えば、車両の室内の運転席周辺に混雑度検出手段である混雑度スイッチを設け、運転者が自車１００の走行する道路が混雑していると判断した際に、この混雑度スイッチをＯＮとすることで、処理部４２の混雑度判断部４４は、この自車１００が走行する道路の混雑度が高いと判断しても良い。つまり、混雑度検出手段により検出された運転者の混雑意思に基づいて、自車１００が走行する道路の混雑度が高いと判断しても良い。この場合は、道路を走行している自車１００の実際の現在位置における混雑度を運転者の経験に基づいて判断することができる。これにより、運転者の意志によりこの運転者の減速意志により発生する減速度の変化が起こるため、運転者の違和感や不快感を低減することができる。
【００５２】
また、上記実施例では、ＥＣＵ４の処理部４２の車線数判断部４５が取得された車線数情報に基づいて自車１００が走行している車線が複数車線であるか否かを判断した（ステップＳＴ３，４）後に、処理部４２の混雑度判断部４４が取得された道路情報に基づいて自車１００が走行している道路の混雑度を判断する（ステップＳＴ５，６）が、この発明はこれに限定されるものではない。上記ステップＳＴ３，４はなくても良い。つまり、処理部４２の車線数判断部４５を設けずに、自車１００が走行している車線を判断せずに、処理部４２の混雑度判断部４４が取得された道路情報に基づいて自車１００が走行している道路の混雑度を判断しても良い。これは、自車１００が混雑している１車線の道路を走行している場合に、自車１００の後方に位置する後方車両により運転者の圧迫感が大きくなり、自車１００と前方車両２００との車間距離を縮めようとする場合もあるからである。
【００５３】
また、上記実施例において、ＥＣＵ４の混雑度判断部４４が取得された道路情報に基づいて自車１００が走行している道路の混雑度を判断する前提条件を付加しても良い。例えば、ナビゲーションシステム５の処理部５３が算出する自車１００が走行している道路の道路種別（一般道路、高速道路）をＥＣＵ４の入出力ポート４１を介して処理部４２に入力し、この自車１００が走行している道路が高速道路である場合にＥＣＵ４の混雑度判断部４４が混雑度を判断するようにしても良い。また、ＥＣＵ４の入出力ポート４１を介して処理部４２に入力された車速センサ１２により検出された自車１００の車速が一定車速（例えば、高速道路において走行する場合の車速）以上である場合に、ＥＣＵ４の混雑度判断部４４が混雑度を判断するようにしても良い。
【産業上の利用可能性】
【００５４】
以上のように、この発明にかかる車両の駆動力制御装置および駆動力制御方法は、運転者の減速意思により発生する減速度を制御する車両の駆動力制御装置および駆動力制御方法に有用であり、特に、自車の走行する道路の混雑時における運転者の違和感や不快感を低減するに適している。
【図面の簡単な説明】
【００５５】
【図１】この発明にかかる車両の駆動力制御装置の構成例を示す図である。
【図２−１】前方車両検出装置の構成例を示す図である。
【図２−２】自車と前方車両との関係を示す図である。
【図３】この発明にかかる車両の駆動力制御装置の動作フローを示す図である。
【符号の説明】
【００５６】
１  駆動力制御装置
２  自動変速機
３  前方車両検出装置
４  ＥＣＵ
４４  混雑度判断部（混雑度判断手段）
４５  車線数判断部（車線数判断手段）
４６  減速度制御部
５  ナビゲーションシステム（道路情報取得手段、車線数取得手段）
５２  アンテナ部
５５ａ  地図データ
６  エンジン
７  トルクコンバータ
８  油圧供給装置
９  吸気系統
１０  排気系統
１１  アクセルセンサ
１２  車速センサ
１３  シフトセンサ
１４  車両自動ブレーキ装置
１００  自車
２００  前方車両
【図１】
2005301369.tif 000003
【図２−１】
2005301369.tif 000004
【図２−２】
2005301369.tif 000005
【図３】
2005301369.tif 000006